(57)【特許請求の範囲】
【請求項１】
光を第１方向へ向けて出射する光源と、
前記光源から出射される光を予め定められた原稿載置面に向けて導光する導光部材と、を備え、
前記導光部材は、
前記光源から出射された光を内部に入光させる入光面を一端に有し、前記入光面に入射した光を前記第１方向へ導光し且つ前記第１方向とは異なる方向へ向きを変える前記第１方向に長い棒状の第１導光部と、
前記第１方向に直交する第２方向に延出され、前記第１導光部からの光を入射する前記第１方向に長い入射面を有し、前記入射面に入射した前記第１導光部からの光を前記第２方向へ導光する第２導光部と、
を備え、
前記第２導光部は、
前記原稿載置面の法線に対して一方側から前記原稿載置面へ光を導くための第１光学部と、
前記法線に対して他方側から前記原稿載置面に光を導くための第２光学部と、
を備え、
前記第１導光部及び前記第２導光部は一体に構成されており、前記第１導光部と前記第２導光部との間に前記入射面を断面とする括れ部が形成されており、
前記括れ部は、前記第１導光部の内部に入射した光のうち前記第２導光部へ入射させる光を制限することにより、前記入光面に入射した光を前記第１導光部の他端の端面まで導く照明装置。
【請求項２】
前記第１導光部は、
前記光源から出射された光の向きを変える変向部と、
前記変向部により向きを変えられた光を前記入射面へ向けて反射する反射部と、
を備える請求項１に記載の照明装置。
【請求項３】
前記反射部及び前記変向部は、第１導光部の周面に設けられており、
前記反射部は、前記入射面に対向する位置に設けられており、
前記変向部は、前記周面の周方向において前記反射部と前記入射面との間の位置に設けられている請求項２に記載の照明装置。
【請求項４】
前記入射面及び前記反射部は、前記第１方向及び前記第２方向それぞれに直交する第３方向において、前記第１方向に直交する前記第１導光部の断面の中心位置よりも前記変向部に対して離反する方向へ隔てられた位置に設けられている請求項３に記載の照明装置。
【請求項５】
前記第２光学部から前記原稿載置面に至る光路に設けられ、前記第２光学部から出射された光を前記原稿載置面へ向けて反射する反射板を更に備える請求項１乃至４の何れか一項に記載の照明装置。
【請求項６】
前記第１光学部は、
前記原稿載置面へ向けて光を出射する出射面と、
前記第２導光部内を前記第２方向に進む光を前記出射面へ向けて反射する反射面と、
を有する請求項１乃至５の何れか一項に記載の照明装置。
【請求項７】
原稿が載置される原稿載置面と、
前記原稿載置面に載置された前記原稿に光を照射する請求項１乃至６の何れか一項に記載の照明装置と、
前記照明装置により光が照射されることにより前記原稿載置面から反射される光を受光し、受光量に応じた電気信号を出力する撮像素子と、
を備える画像読取装置。
【請求項８】
光を第１方向へ向けて出射する光源から出射される光を予め定められた原稿載置面に向けて導光する導光部材であって、
前記光源から出射された光を内部に入光させる入光面を一端に有し、前記入光面に入射した光を前記第１方向へ導光し且つ前記第１方向とは異なる方向へ向きを変える前記第１方向に長い棒状の第１導光部と、
前記第１方向に直交する第２方向に延出され、前記第１導光部からの光を入射する前記第１方向に長い入射面を有し、前記入射面に入射した前記第１導光部からの光を前記第２方向へ導光する第２導光部と、を備え、
前記第２導光部は、
前記原稿載置面の法線に対して一方側から前記原稿載置面へ光を導くための第１光学部と、
前記法線に対して他方側から前記原稿載置面に光を導くための第２光学部と、を備え、
前記第１導光部及び前記第２導光部は一体に構成されており、前記第１導光部と前記第２導光部との間に前記入射面を断面とする括れ部が形成されており、
前記括れ部は、前記第１導光部の内部に入射した光のうち前記第２導光部へ入射させる光を制限することにより、前記入光面に入射した光を前記第１導光部の他端の端面まで導く導光部材。
【発明の詳細な説明】
【技術分野】
【０００１】
本発明は、原稿載置面に光を導く照明装置、前記照明装置を備える画像読取装置、及び照明装置に備えられる導光部材に関する。
【背景技術】
【０００２】
原稿の画像を読み取る画像読取装置においては、折り目を有するシート原稿、用紙片が貼付されたシート原稿、或いは、見開き状態のブック原稿が読取対象となる場合がある。このような原稿にあっては、読取面と原稿載置面との間の距離が読取面全域で一定ではない場合がある。この場合、一方向からの光の照射によって画像を読み取る方式では、読み取った画像に影が生じることがある。そこで、前記影の発生を防止するため、従来、光源の光を振り分けて複数の方向から光を原稿に照射して原稿の画像を読み取る技術が提案されている。
【０００３】
例えば、上述の従来技術として、主走査方向に並設される複数のＬＥＤと、前記ＬＥＤから入射される光を拡散させてその拡散光の一部を原稿載置面へ導く拡散板と、原稿載置面へ向かう方向とは異なる方向に拡散する拡散光を原稿載置面に導くための反射部とを有する構成が知られている（特許文献１参照）。
【０００４】
また、他の従来技術として、主走査方向に延びる棒状の導光体と、前記導光体の長手方向における一方の端部の端面から光を入射する発光部と、前記導光体の周面に対面し、前記周面から出射される光を原稿載置面に導く湾曲した反射面とを有する構成が知られている（特許文献２参照）。この構成においては、平面状の１つの光変向面と、前記光変向面に対面し、断面が連続する２つの円弧となる光出射面とが前記導光体の周面に設けられる。
【先行技術文献】
【特許文献】
【０００５】
【特許文献１】特開２００９−２８２２４２号公報
【特許文献２】特開２００８−２１６４０９号公報
【発明の概要】
【発明が解決しようとする課題】
【０００６】
しかしながら、前掲の従来技術のうち、前者の構成は高価な拡散板を必要とするため、画像読取装置のコストアップを招来する。後者の構成は、原稿に照射される光線が少なく、また、前記原稿載置面での集光量も少ない。
【０００７】
本発明の目的は、前記拡散板を省いてコストダウンを図りつつ、読取面と原稿載置面との間の距離が読取面全域で一定ではない原稿の画像を読み取る場合であっても画像に影を生じさせることなく、原稿載置面に均一で適切な光量の光を照射することのできる照明装置、画像読取装置、及び導光部材を提供することである。
【課題を解決するための手段】
【０００８】
本発明の一の局面に係る照明装置は、光源と、導光部材とを備える。前記光源は、光を第１方向へ向けて出射する。前記導光部材は、前記光源から出射される光を予め定められた原稿載置面に向けて導光する。また、前記導光部材は、第１導光部と、第２導光部とを備える。前記第１導光部は、前記光源から出射された光を前記第１方向へ導光し且つ前記第１方向とは異なる方向へ向きを変える前記第１方向に長い。前記第２導光部は、前記第１方向に直交する第２方向に延出され、前記第１導光部からの光を入射する前記第１方向に長い入射面を有し、前記入射面に入射した前記第１導光部からの光を前記第２方向へ導光する。また、前記第２導光部は、第１光学部と、第２光学部とを備える。前記第１光学部は、前記原稿載置面の法線に対して一方側から前記原稿載置面へ光を導くためのものである。前記第２光学部は、前記法線に対して他方側から前記原稿載置面に光を導くためのものである。そして、前記第１導光部及び前記第２導光部は一体に構成されており、前記第１導光部と前記第２導光部との間に前記入射面を断面とする括れ部が形成されている。
【０００９】
本発明の他の局面に係る画像読取装置は、原稿載置面と、照明装置と、撮像素子とを有する。前記原稿載置面は、原稿が載置される。前記照明装置は、前記原稿載置面に載置された前記原稿に光を照射する。前記撮像素子は、前記照明装置により光が照射されることにより前記原稿載置面から反射される光を受光し、受光量に応じた電気信号を出力する。
【００１０】
本発明の他の局面に係る導光部材は、第１導光部と、第２導光部とを備える。前記第１導光部は、前記光源から出射された光を前記第１方向へ導光し且つ前記第１方向とは異なる方向へ向きを変える前記第１方向に長い。前記第２導光部は、前記第１方向に直交する第２方向に延出され、前記第１導光部からの光を入射する前記第１方向に長い入射面を有し、前記入射面に入射した前記第１導光部からの光を前記第２方向へ導光する。また、前記第２導光部は、第１光学部と、第２光学部とを備える。前記第１光学部は、前記原稿載置面の法線に対して一方側から前記原稿載置面へ光を導くためのものである。前記第２光学部は、前記法線に対して他方側から前記原稿載置面に光を導くためのものである。そして、前記第１導光部及び前記第２導光部は一体に構成されており、前記第１導光部と前記第２導光部との間に前記入射面を断面とする括れ部が形成されている。
【発明の効果】
【００１１】
本発明によれば、前記拡散板を省いてコストダウンを図りつつ、読取面と原稿載置面との間の距離が読取面全域で一定ではない原稿の画像を読み取る場合であっても画像に影を生じさせることなく、原稿載置面に均一で適切な光量の光を照射することができる。
【図面の簡単な説明】
【００１２】
【図１】図１は、本発明の実施の形態に係る画像読取装置の構成を示す図である。
【図２】図２は、照明装置の構成を示す図である。
【図３】図３は、導光部材の構成を示す図である。
【図４】図４は、導光部材を図３の矢印Ｚ１から見た図である。
【図５】図５（Ａ）は、第１導光部の内部における光の反射状態を説明するための図、図５（Ｂ）は、図３に示された導光部材の断面形状を示す図である。
【図６】図６は、第１導光部における光の進行状況を示す図である。
【発明を実施するための形態】
【００１３】
以下、図面を参照して本発明の実施形態について説明する。なお、以下に説明される実施形態は本発明を具体化した一例にすぎず、本発明の技術的範囲を限定するものではない。
【００１４】
図１に示されるように、本発明の実施の形態に係る画像形成装置１は、プリンター、複写機、及びファクシミリなどの各機能を備えた複合機である。以下の説明では、画像形成装置１が平坦面に設置された状態を基準として上下方向５０１を定義する。また、画像形成装置１を手前側（正面側）から見て左右方向５０２を定義する。また、図１の紙面に直交する方向を前後方向５０３と定義する。
【００１５】
画像形成装置１は、画像形成部２と、画像読取部３と、原稿カバー４とを有する。画像読取部３は、本発明の画像読取装置の一例である。なお、本発明の画像読取装置は、画像読取部３のみで構成されたスキャナー装置であってもよい。
【００１６】
画像形成装置１は、画像形成部２と、画像読取部３と、原稿カバー４とを有する。
【００１７】
画像形成部２は、給紙部５と、感光体ドラム６と、帯電部７と、現像部８と、露光部９と、転写部１０と、クリーニング部１１と、定着部１２と、排紙部１３とを備える電子写真方式の画像形成部である。
【００１８】
画像読取部３は、原稿の画像を読み取る画像読取動作を実行する。画像読取部３は、筐体１４と、コンタクトガラス１５と、照明装置１６と、ミラー１７、１８と、光学レンズ１９と、撮像素子２０とを備える。画像読取部３には、撮像素子２０に駆動信号を出力する駆動回路（不図示）も含まれる。
【００１９】
コンタクトガラス１５の上側のガラス面は、原稿が載置される原稿載置面３８であり、画像読取部３の上面は、この原稿載置面３８を含んで構成されている。
【００２０】
照明装置１６は、原稿載置面３８に載置された前記原稿に光を照射するものであり、コンタクトガラス１５の下方に設けられている。照明装置１６は、ステッピングモーター等の駆動モーターを用いた移動機構（不図示）により左右方向５０２へ移動可能に構成されている。なお、前記移動機構は、一対のプーリーと、これらプーリー間に架け渡された駆動ベルトとにより構成される周知の構成を有するものである。図示しない駆動モーターから駆動力を受けることにより、前記移動機構は、照明装置１６を左右方向５０２へスライド移動させる。
【００２１】
後述するように、照明装置１６は、原稿載置面３８に載置された原稿に光を照射する。前記原稿に照射された光は前記原稿面で反射され、その反射光がミラー１７へ進行する。ミラー１７は、入射光をミラー１８へ向けて反射し、ミラー１８は、入射光を光学レンズ１９へ向けて反射する。光学レンズ１９は、ミラー１８から反射された光を集光し、その集光した光を撮像素子２０に導く。撮像素子２０は、受光した光の受光量（輝度の強度）に応じた電気信号（電圧）を出力する。
【００２２】
画像読取部３による原稿の画像の読み取りは、以下の手順で行われる。
【００２３】
ユーザーにより原稿がコンタクトガラス１５上に載置され、原稿カバー４が前記閉塞姿勢にされる。その後、ユーザーにより画像読取開始操作が不図示の操作表示部に対して行われる。
【００２４】
前記画像読取開始操作が行われると、画像読取部３により画像読取動作が実行される。画像形成装置１は、前記画像読取動作においては、コンタクトガラス１５に載置された原稿の画像を読み取る画像読取動作を実行する前に、その原稿の大きさを原稿センサー（不図示）によって検出する。そして、前記駆動モーターが左右方向５０２における左側の予め定められた移動開始位置（不図示）に位置する照明装置１６を左右方向５０２に沿って右側へ移動させる。前記移動開始位置は、コンタクトガラス１５の左端部に対向する位置又はその近傍の位置である。画像形成装置１は、検出された大きさに相当する移動量だけ照明装置１６を左右方向５０２に移動させる。したがって、照明装置１６の移動終了位置は、読取対象の原稿の大きさに応じて異なる位置となる。
【００２５】
これと並行して照明装置１６が連続して順次１ライン分の光を照射する処理が行われる。これにより、照明装置１６から画像読取部３の上面に設けられたコンタクトガラス１５へ向けて照射される光が左右方向５０２へ走査される。
【００２６】
そして、原稿からの反射光がミラー１７、１８及び光学レンズ１９を介して撮像素子２０に導かれ、撮像素子２０の受光量に応じた受光信号が不図示の画像処理部へ順次伝送される。前記画像処理部は、前記受光信号をデジタル化して原稿の画像データを生成する。このように、画像読取部３は、原稿載置面３８に載置された前記原稿の画像を読み取る。
【００２７】
次に、照明装置１６の構成について説明する。図２は、照明装置１６の構成を示す図である。
【００２８】
図２に示されるように、照明装置１６は、キャリッジ１６Ａと、光源２１と、導光部材２２と、第１反射ミラー２３と、第２反射ミラー２４と、支持フレーム２５とを備える。
【００２９】
キャリッジ１６Ａは、照明装置１６を支持しつつ、照明装置１６とともに左右方向５０２へ移動可能に構成されている。キャリッジ１６Ａは、画像読取部３の筐体１４の内部に設けられた一対のプーリー（不図示）に掛け渡されるワイヤー（不図示）に連結されており、前記プーリーが回転駆動されることでキャリッジ１６Ａが左右方向５０２へ移動する。
【００３０】
支持フレーム２５は、キャリッジ１６Ａの上面に固定されている。支持フレーム２５は、水平に広がる水平部２５Ａと、水平部２５Ａの左端から左斜め上方へ傾斜する傾斜部２５Ｂとを有する。支持フレーム２５は、導光部材２２及び第１反射ミラー２３を支持する。具体的に、支持フレーム２５の水平部２５Ａの上面に導光部材２２が取り付けられており、また、傾斜部２５Ｂに第１反射ミラー２３が取り付けられている。なお、光源２１は、キャリッジ１６Ａの上面に固設された不図示の支持フレームに取り付けられている。第２反射ミラー２４は、キャリッジ１６Ａの内部に設けられている。このように、光源２１、導光部材２２、第１反射ミラー２３、及び支持フレーム２５は、キャリッジ１６Ａの上面又は内部において固定されているため、キャリッジ１６Ａが左右方向５０２に移動することで、光源２１、導光部材２２、第１反射ミラー２３、第２反射ミラー２４及び支持フレーム２５も左右方向５０２に移動する。
【００３１】
光源２１は、原稿載置面３８に載置された原稿の画像を読み取るための光を照射するＬＥＤ光源などである。導光部材２２は、光源２１から出射される光を原稿載置面３８に向けて導光する。なお、光源２１及び導光部材２２については、後述する。
【００３２】
第１反射ミラー２３は、導光部材２２の後述する第５光学面８５から原稿載置面３８に至る光路に設けられ、第５光学面８５から出射された光を原稿載置面３８へ向けて反射する。第１反射ミラー２３は、本発明の反射板の一例である。
【００３３】
第２反射ミラー２４は、反射面７０を有し、その反射面７０が原稿載置面３８及びミラー１７側を向くように配置されている。第２反射ミラー２４は、原稿により反射された光をミラー１７へ向けて反射する。
【００３４】
続いて、図３乃至図６を参照しつつ、光源２１及び導光部材２２について説明する。図３は、光源２１及び導光部材２２の構成を示す平面図であり、図４は、図３の矢印Ｚ１方向から見た光源２１及び導光部材２２の構成を示す図、図５（Ａ）は、後述する第１導光部２８から出射される光の経路を説明するための図、図５（Ｂ）は、図３に示された導光部材２２の断面形状を示す図である。
【００３５】
導光部材２２は、例えば樹脂などの材料で形成されており、原稿載置面３８に載置される原稿のうちで最大サイズの原稿に対して読み取るべき領域の主走査方向における長さよりも長尺の光学素子である。前記主走査方向は、前後方向５０３と一致する。
【００３６】
図４に示されるように、光源２１は、導光部材２２の長手方向の一端に形成されている入光面３０に光を入射して前記主走査方向の一方側へ向けて出射する。前記主走査方向の一方側は、本発明の第１方向の一例である。そして、導光部材２２では、入光面３０が形成されている前記一端から入射する光が導光部材２２の内部で反射を繰り返して他端の端面３１に向けて導かれる。なお、本実施形態では、導光部材２２の前記一端に光源２１が設けられている場合を例に挙げて説明するが、導光部材２２の両端に光源２１が設けられ、入光面３０及び端面３１の両方から光が入射する構成も他の実施形態として考えられる。
【００３７】
図３に示されるように、導光部材２２は、第１導光部２８と、第２導光部２９とを有し、第１導光部２８と第２導光部２９とが一体構成されている。
【００３８】
第１導光部２８は、光源２１から出射された光を前記主走査方向へ導光し、且つ、前記主走査方向とは異なる方向へ向きを変える。
【００３９】
第１導光部２８は、前記主走査方向に長い棒状であり、図３及び図６に示されるように、外周面に変向部３２と、反射部３３と、出射部６１とを有する。入射面９０及び反射部３３は、主走査方向及び左方向それぞれに直交する上下方向５０１において、主走査方向に直交する第１導光部２８の断面の中心位置Ｐ１よりも変向部３２に対して離反する方向へ隔てられた位置に設けられている。上下方向５０１は、本発明の第３方向の一例である。
【００４０】
具体的に、前述したように、導光部材２２が支持フレーム２５の水平部２５Ａに取り付けられており、第１導光部２８と第２導光部２９とが左右方向５０２に並ぶように位置されている場合、第１導光部２８の最上部に変向部３２が設けられている。また、中心位置Ｐ１よりも下方（変向部３２に対して離反する方向）へ隔てた周面上の位置に入射面９０と反射部３３とが設けられている。
【００４１】
なお、第１導光部２８の最下部に変向部３２が設けられており、中心位置Ｐ１よりも上方（変向部３２に対して離反する方向）へ隔てた周面上の位置に入射面９０と反射部３３とが設けられていてもよい。
【００４２】
変向部３２は、光源２１から出射された光の向きを変える。具体的に、図４及び図５に示されるように、変向部３２には、長手方向に予め定められた間隔で複数の変向面３４が形成されている。変向面３４は、変向部３２から内側に向けて予め定められた傾斜角度で形成された傾斜面である。この変向面３４により、光源２１から照射された光の一部は反射し、一部は透過する。変向面３４の傾斜角度は、光源２１から照射された光の変向面３４による反射量ができるだけ多くなるように適宜定められる。
【００４３】
そして、第１導光部２８では、光源２１から照射された光を変向面３４により反射する。この反射光は反射部３３へ進行する。なお、隣り合う変向面３４間のピッチは、０．５ｍｍ以下であることが好ましく、特に０．３ｍｍが好ましい。
【００４４】
反射部３３は、変向部３２により向きを変えられた光を第２導光部２９の後述する入射面９０へ向けて反射する。反射部３３は、例えば、不図示の鏡面シートが第１導光部２８における前記外周面の所定位置に貼り付けられることにより構成される。反射部３３は、入射面９０に対向する位置に設けられている。これにより、入射面９０に入射する光線は、互いに略平行となり、第１光学面８１或いは第６光学面８６に入射する光を低減して、第４光学面８４及び第５光学面８５に向かう光を増やすことができる。その結果、原稿載置面３８に載置された原稿への光の照射効率を向上することができる。
【００４５】
第２導光部２９は、前後方向５０３に直交する左方向に延出され、第１導光部２８からの光を入射する前後方向５０３に長い入射面９０（図３参照）を有する。入射面９０は、出射部６１における出射面と一致する。そして、第２導光部２９は、入射面９０に入射した第１導光部２８からの光を左方向へ導光する。左方向は、本発明の第２方向の一例である。
【００４６】
入射面９０は、反射部３３に臨む位置に設けられている。また、変向部３２は、第１導光部２８の周面の周方向において、反射部３３と入射面９０との間の位置に設けられている。
【００４７】
第２導光部２９は、原稿載置面３８の法線Ｒ１（図６（Ｂ）参照）に対して一方側から原稿載置面３８へ光を導く第１光学部８７（図３参照）と、法線Ｒ１に対して他方側から原稿載置面３８に光を導く第２光学部８８（図３参照）とに大別される。
【００４８】
具体的に、第２導光部２９は、第１光学面８１と、第２光学面８２と、第３光学面８３と、第４光学面８４と、第５光学面８５と、第６光学面８６とを有する。第１光学部８７は、第１光学面８１、第２光学面８２、第３光学面８３、及び第４光学面８４を備えて構成されている。また、第２光学部８８は、第５光学面８５及び第６光学面８６を備えて構成されている。
【００４９】
第１光学面８１は、第１導光部２８の外周面における一端部と点Ｑ１で交差する。第６光学面８６は、第１光学面８１の外周面における他端部と、点Ｑ１より下方の点Ｑ２で交差する。第１光学面８１は、第１導光部２８から上方に傾斜する一方、第６光学面８６は、略水平である。したがって、第１光学面８１と第６光学面８６とは、第１導光部２８から遠い位置ほど互いに離れていく。換言すると、第２導光部２９は、第１導光部２８側から第１反射ミラー２３側へ向けて拡開する部位を有する。
【００５０】
第２光学面８２は、第１光学面８１より大きな傾斜角度で上方に傾斜し、第１光学面８１と交差する。第３光学面８３は、下方に傾斜し、第２光学面８２と交差する。第４光学面８４は、第２光学面８２及び第３光学面８３より下方の位置で上方に傾斜し、第３光学面８３と交差する。第５光学面８５は、上下に延び、第４光学面８４と第６光学面８６と交差する。
【００５１】
第４光学面８４は、第２導光部２９の内部を左方へ進行する光を第３光学面８３へ向けて反射する。第４光学面８４は、本発明の反射面の一例である。第３光学面８３は、原稿載置面３８へ向けて光を出射する。第３光学面８３は、本発明の出射面の一例である。また、第５光学面８５は、第２導光部２９の内部を進む光が透過する面である。第５光学面８５を透過した光は、第１反射ミラー２３に導かれる。
【００５２】
このような構成を有する導光部材２２においては、第１光学面８１と第１導光部２８の外周面との交差によって形成される交線（図３の点Ｑ１を通る紙面に垂直な線）と、第６光学面８６と第１導光部２８の第２周面６２との交差によって形成される交線とを通る導光部材２２の切断面は、第１光学部８７から第２光学部８８に光が入射する入射面９０となる。
【００５３】
ここで、導光部材２２には、第１導光部２８と第２導光部２９との間に入射面９０を断面とする括れ部７５が形成されている。すなわち、入射面９０は、仮に第１導光部２８の中心位置Ｐ１（図６参照）を通る平面で第１導光部２８を上下に切断した場合の切断面に比べて面積が小さい。したがって、括れ部７５は、第１導光部２８に出射された光のうち第２導光部２９へ入射させる光を制限する。換言すると、括れ部７５は、予め定められた方向に進行する光のみを第２導光部２９の内部に導く。すなわち、括れ部７５は、所謂絞り部ともいえる。これにより、入光面３０が形成されている前記一端から入射する光を他端の端面３１まで導くことが可能となる。
【００５４】
次に、照明装置１６の作用について説明する。
【００５５】
光源２１から光が前記主走査方向の一方側へ向けて出射されると、導光部材２２の長手方向の一端に形成されている入光面３０に入射する。図６（Ａ）に示されるように、導光部材２２において、入光面３０から入射した光の一部（例えば図６（Ａ）の光線１８０）は変向部３２に入射する。
【００５６】
変向部３２に入射した光は、変向部３２によってその向きが変えられ、反射部３３に入射する（例えば図６（Ａ）の光線１８１、１８２）。反射部３３に入射した光は、反射部３３の反射面により反射され、その反射光の一部（例えば図６（Ａ）の光線１８１）は、入射面９０に入射し、残りの光（例えば図６（Ａ）の光線１８２）は、他の部位へ進む。
【００５７】
図６（Ｂ）に示されるように、入射面９０に入射した光（例えば図６（Ｂ）の光線２００、２０１）は第２導光部２９の内部を進行する。第２導光部２９に入射した光の一部（例えば図６（Ｂ）の光線２００）は、第４光学面８４へ向けて反射する。第４光学面８４は、入射してきた光を第３光学面８３へ向けて反射する。第３光学面８３は、原稿載置面３８へ向けて光を出射する。これにより、第１光学部８７によって、原稿載置面３８の法線Ｒ１に対して一方側から原稿載置面３８へ光が導かれる。
【００５８】
また、第２導光部２９に入射した光の他の一部（例えば図６（Ｂ）の光線２０１）は、第５光学面８５を透過して第１反射ミラー２３に導かれる。第１反射ミラー２３は、入射してきた光を原稿載置面３８へ向けて反射する。第１反射ミラー２３により反射された光は、第３光学面８３から出射された光が照射される原稿１００の位置と同じ位置に照射される。これにより、第２光学部８８によって、法線Ｒ１に対して他方側から前記原稿載置面に光が導かれる。
【００５９】
前記原稿に光が照射されると、原稿面によりその光が第２反射ミラー２４（図２参照）へ向けて反射される。第２反射ミラー２４は、入射してきた光をミラー１７（図１参照）へ向けて反射する。その後、その反射光は、ミラー１７、１８及び光学レンズ１９を介して撮像素子２０に導かれる。
【００６０】
以上のように、本実施形態では、光源２１から出射される光線は、変向部３４によって拡散されるため、前記拡散板が不要となる。これにより、画像読取部３、ひいては画像形成装置１のコストダウンを図ることができる。
【００６１】
また、第１光学部８７により、原稿載置面３８の法線Ｒ１に対して一方側から原稿載置面３８へ光が導かれ、また、第２光学部８８により、法線に対してＲ２他方側から前記原稿載置面に光が導かれる。これにより、読取面と原稿載置面３８との間の距離が読取面全域で一定ではない原稿の画像を読み取る場合であっても画像に影を生じさせることなく、原稿載置面３８に均一で適切な光量の光を照射することができる。
【００６２】
さらに、本実施形態の導光部材２２においては、第１導光部２８と第２導光部２９とが一体化されている。これにより、第１導光部２８と第２導光部２９とが異なる部材で構成される場合に比べて、括れ部７５の入射面を通る光の光量（通過量）のばらつきを抑えることができる。その結果、原稿面に照射される光量を原稿面全体に亘って均一にすることができる。
【００６３】
また、第１導光部２８と第２導光部２９とが異なる部材で構成される場合に比べて、製造コストを抑えることができる。さらに、照明装置１６への導光部材２２の組み付けが容易となり、第１導光部２８と第２導光部２９とが別体の場合に必要となる第１導光部２８と第２導光部２９との位置関係等の調整も不要となり、導光部材２２を容易に組み立てることができる。
【符号の説明】
【００６４】
１６：照明装置
２０：撮像素子
２１：光源
２２：導光部材
２３：第１反射ミラー
２８：第１導光部
２９：第２導光部
３２：変向部
３３：反射部
３８：原稿載置面
７５：括れ部
８３：第３光学面
８４：第４光学面
８７：第１光学部
８８：第２光学部
９０：入射面
【図１】
0006365358.tif 000002
【図２】
0006365358.tif 000003
【図３】
0006365358.tif 000004
【図４】
0006365358.tif 000005
【図５】
0006365358.tif 000006
【図６】
0006365358.tif 000007